(57)【要約】
【課題】  女性やお年寄りでも手軽に背筋伸ばしができるストレッチ器具を提供する。
【解決手段】  このストレッチ器具１は、手摺部２を上方に向かって付勢可能なバネを備えている。また、このストレッチ器具１は、人が座った状態で手を上にあげれば手摺部２を把持可能な大きさに形成されている。そのため、このストレッチ器具１を用いると、人は座った状態で手摺部２を把持するだけで、バネにより上方に持ち上げられ背筋が伸ばされる。従って、このストレッチ器具１を用いれば、腕への負担が小さくて済むので、女性やお年寄りでも手軽に背筋伸ばしをすることができる。
【選択図】  図１
0003100778.tif 000002
【実用新案登録請求の範囲】
【請求項１】
人が臀部をついて座った姿勢で、手を上げて把持可能な位置に手摺部を備えたストレッチ器具であって、
土台部と、
土台部から上方に向かって延設され、前記手摺部を上下方向に摺動可能に支持する一対の支柱部と、
該支柱部に取り付けられ、前記手摺部を上方に向かって付勢する弾性手段と、
を備えることを特徴とするストレッチ器具。
【請求項２】
請求項１記載のストレッチ器具において、
コ字状に形成された前記土台部と、
コ字状に形成された番部と、
コの字を形成する前記土台部の３つの各辺部のうち平行な前記各辺部の長手方向の略中央から上方に向かって立てられる前記一対の支柱部と
前記番部が前記土台部に対し回動するよう、前記番部の各端部と前記土台部の各端部とを接続する第１接続部と、
前記番部が前記土台部に対し回動する回動面に沿って前記一対の支柱部が前記番部に対し回動するよう前記番部と前記各支柱部とを接続すると共に、前記支柱部が前記土台部に立てられたときの前記支柱部の下端から所定距離上方で前記番部と前記各支柱部とを接続する第２接続部と、
前記支柱部を前記土台部から取り外し可能であり、かつ、前記支柱部が前記土台部上に立った状態で固定可能な固定手段と
を備えることを特徴とするストレッチ器具。
【請求項３】
請求項１，２何れか記載のストレッチ器具において、
前記弾性手段の取り付け位置を、前記支柱部の長さ方向に沿って可変可能な可変手段を備えていることを特徴とするストレッチ器具。
【考案の詳細な説明】
【技術分野】
【０００１】
本考案は、ストレッチ器具に関する。
【背景技術】
【０００２】
従来より、手摺部に立った状態でぶら下がり、背筋を伸ばすごとで健康を維持するためのぶら下がり健康器がある。
【非特許文献１】平成１５年６月１３日発行の日本経済新聞  （株）アド・Ｂ・カンパニーの広告
【考案の開示】
【考案が解決しようとする課題】
【０００３】
しかし、このぶら下がり健康器は、人が立った状態でぶら下がって全体重を手で支えねばならないため必要以上に腕に負荷がかかり、女性やお年寄りには苦痛で使いずらいという問題があった。
【０００４】
そこで本考案では、上述した問題点を解決し、女性やお年寄りでも手軽に気持ちよく背筋伸ばしができるストレッチ器具を提供することを目的とする。
【課題を解決するための手段】
【０００５】
上述した問題点を解決するためになされた請求項１に記載の考案は、人が臀部をついて座った姿勢で、手を上げて把持可能な位置に手摺部を備えたストレッチ器具であって、土台部と、土台部から上方に向かって延設され、前記手摺部を上下方向に摺動可能に支持する一対の支柱部と、該支柱部に取り付けられ、前記手摺部を上方に向かって付勢する弾性手段とを備えることを特徴とする。
【０００６】
この考案のストレッチ器具では、臀部をついて座った状態で手摺部を掴めば、弾性手段が人を上に引っ張り背筋を伸ばしてくれる。そのため、この考案のストレッチ器具を用いれば、腕への負担が小さくて済むので、女性やお年寄りでも手軽に気持ちよく背筋伸ばしをすることができる。
【０００７】
次に、請求項２に記載した考案は、請求項１記載のストレッチ器具において、コ字状に形成された前記土台部と、コ字状に形成された番部と、コの字を形成する前記土台部の３つの各辺部のうち平行な前記各辺部の長手方向の略中央から上方に向かって立てられる前記一対の支柱部と前記番部が前記土台部に対し回動するよう、前記番部の各端部と前記土台部の各端部とを接続する第１接続部と、前記番部が前記土台部に対し回動する回動面に沿って前記一対の支柱部が前記番部に対し回動するよう前記番部と前記各支柱部とを接続すると共に、前記支柱部が前記土台部に立てられたときの前記支柱部の下端から所定距離上方で前記番部と前記各支柱部とを接続する第２接続部と、前記支柱部を前記土台部から取り外し可能であり、かつ、前記支柱部が前記土台部上に立った状態で固定可能な固定手段とを備えることを特徴とする。
【０００８】
このストレッチ器具は、固定部で土台部と支柱部とを固定して組み立てられると、固定部から第１接続部の土台部と、第１接続部から第２接続部の番部と、第２接続部から固定部の支柱部とが三角形をなし、支柱部は頑強に固定される。
【０００９】
また、このストレッチ器具は、固定部に固定された支柱部を土台部からはずせば、第２接続部を介して支柱部を番部に対して折りたたみ、さらに第１接続部を介して番部を土台部に対して折りたためば、平面状にコンパクトな状態になる。
【００１０】
従って、本考案のストレッチ器具を用いると、使用時は支柱部が倒れないよう頑強に支持することができ、非使用時はコンパクトに折りたたむことができる。
次に、請求項３に記載した考案は、請求項１，２何れか記載のストレッチ器具において、前記弾性手段の取り付け位置を、前記支柱部の長さ方向に沿って可変可能な可変手段を備えていることを特徴とする。このストレッチ器具は、弾性手段の取り付け位置を変えることで、人の座高によって手摺部を適正な位置に取り付けることができる。
【考案を実施するための最良の形態】
【００１１】
以下、本考案を実施するための最良の形態について図面を用いて説明する。
図１はストレッチ器具の斜視図、図２はストレッチ器具の分解斜視図、図３はストレッチ器具を折り畳んだ様子を示す斜視図、図４はストレッチ器具の側面図である。
【００１２】
本実施形態のストレッチ器具１は、図４に示すように、人が臀部をついて座った姿勢で手を上方に伸ばして把持可能な位置に手摺部２を備えるものである。
このストレッチ器具１は具体的には、図１に示すように、手摺部２の他に、土台部３と、番部４と、支柱部５とを備えている。
【００１３】
手摺部２は、図２に示すように、一本のパイプを略コ字状に折り曲げて成形され、人がぶら下がる際に把持する長尺状の把持部２０と、この把持部２０の両端から延設された延設部２１とが形成されている。そしてこの手摺部２の各延設部２１の先端には、本考案の弾性手段としてのバネ６が溶接されている。そして、この手摺部２の把持部２０には、人が把持する部分にポリプロピレンで形成されたスポンジ２２が巻かれている。また、この手摺部２の延設部２１には、延設部２１の長さ方向に沿って所定間隔毎（本実施形態では１０ｃｍ毎）に、延設部２１の長手方向に沿って長尺な小判形状の長孔２３が複数形成されている。この長孔２３は、ボルト形状に形成されたバネストッパツマミ２４の軸部２４ａを挿通可能な大きさに形成されている。
【００１４】
土台部３は、一本のパイプを略コ字状に折り曲げて成形され、把持部２０に平行に配置される後端部３０と、この後端部３０の両端から延設された延設部３１とが形成されている。そして、後端部３０の延設部３１近傍の下部には、合成樹脂（ポリプロピレン）からなるストッパー３２が取り付けられている。また、延設部３１の先端下部にもストッパー３２がそれぞれ取り付けられている。また、延設部３１の先端近傍の内側には軸板３３が溶接されている。この軸板３３は、延設部３１の上方に突出する大きさに形成され、延設部３１上に突出した部分に軸孔３４が形成されている。この軸孔３４はネジ３５の軸部３５ａを相通可能な大きさに形成されている。さらに、延設部３１の長手方向中央の上部には、支柱部５を立てた状態で挿入可能なタップ３６が形成されている。このタップ３６には、ボルト状に形成された固定ツマミ３７の軸部３７ａを螺入可能なネジ孔３８が形成されている。また、さらに、延設部３１の先端には、合成樹脂（ポリプロピレン）で形成された中栓３９が取り付けられている。尚、以下、土台部３の延設部３１に沿った方向で見て、軸板３３が設けられる方向が前方、後端部３０側が後方と呼ぶ。
【００１５】
番部４は、図２に示すように、一本のパイプを略コ字状に折り曲げて成形され、把持部２０に平行に配置される後端部４０と、この後端部４０の両端から延設された延設部４１とが形成されている。そして、この番部４の延設部４１先端には、水平方向に貫通された軸孔４２が形成されている。この軸孔４２は、ネジ３５の軸部３５ａを相通可能な大きさに形成されている。また、この番部４の延設部４１の後端からやや手前側には、ネジ４４の軸部４４ａを相通可能な大きさに形成されたネジ孔４３が形成されている。また、さらに、延設部４１の先端には、合成樹脂（ポリプロピレン）で形成された中栓４５が取り付けられている。
【００１６】
支柱部５は、手摺部２の延設部２１より大径なパイプであって、直線状に形成された一対のパイプからなり、その長手方向に沿って複数の可変孔５０が形成されている。この可変孔５０は、ボルト状に形成された可変ツマミ５９の軸部５９ａを挿通可能な大きさに形成されている。また、上端部近傍には、これら可変孔５０とは別に、バネストッパ孔５１が形成されている。このバネストッパ孔５１は、バネストッパツマミ２４の軸部２４ａを挿通可能な大きさに形成されている。そして、他方の支柱部５に対向する側にナット５２が溶接されており、具体的には、ナット５２のネジ孔とバネストッパ孔５１とが連通するよう溶接されている。さらに、この支柱部５の下端部近傍には、これら可変孔５０とは別に、固定孔５３が形成されている。この固定孔５３は、固定ツマミ３７の軸部３７ａを挿通可能な大きさに形成されている。
【００１７】
支柱部５の長手方向の中間であってその内側には、軸板５４が溶接されている。この軸板５４は、支柱部５の後方側に突出する大きさに形成され、支柱部５の後方に突出した部分に軸孔５５が形成されている。この軸孔５５はネジ４４の軸部４４ａを相通可能な大きさに形成されている。また、支柱部５の先端には、中間リング５６が取り付けられている。このスリーブ５６は、支柱部５より大径状に形成され、支柱部５に対し同軸状に取り付けられる。このスリーブ５６は、手摺部２の延設部２１が上下方向にガタつきなく摺動しやするためのものである。
【００１８】
バネ６は、手摺部２を構成するパイプと略同径の鶴巻ばねである。このバネ６の一端は、手摺部２の延設部２１の下端に溶接されている。そして、このバネ６の他端には、手摺部２を構成するパイプと略同径のタップ６０が溶接されており、このタップ６０には、可変ツマミ５９の軸部５９を螺合可能な軸孔６１が形成されている。
【００１９】
以上のように構成されたストレッチ器具１は、以下のように組み立てる。
まず、番部４の各端部と土台部３の各端部とを、番部４の軸孔４２と、土台部３の軸板３３の軸孔３４とにネジ３５の軸部３５ａを通し、このネジ３５とナットと座金とを用いて、番部４を土台部３の内側で回動できるよう接続する。尚、以下、軸板３３と、ネジ３５と、軸孔４２と、ナットと、座金とを第１接続部と呼ぶ。
【００２０】
次に、支柱部５の軸板５４の軸孔５５と、番部４のネジ孔４３とにネジ４４の軸部４４ａを通し、ネジ４４とナット及び座金で支柱部５と番部４とを回動可能に接続する。これら、支柱部５の軸板５４の軸孔５５と、番部４のネジ孔４３と、ネジ４４と、ナットと、座金とを、第２接続部と呼ぶ。この第２接続部により番部４と支柱部５とを接続すると、番部４が土台部３に対し回動する回動面に沿って各支柱部５が番部４に対し回動するよう接続される。そして、この第２接続部で番部４と支柱部５と接続すると、支柱部５が土台部３に立てられたとき、支柱部５が土台部３に接続される位置よりも上方で番部４と各支柱部５とが接続される。
【００２１】
そして、このように組み立てられたストレッチ器具１のうち、番部４を土台部３に対して回動させて所定角度開き、さらに、支柱部５を番部４に対して回動させ、支柱部５を土台部３のタップ３６に挿して立てる。そして、固定ツマミ３７を、支柱部５の固定孔５３に通してタップ３６のネジ孔３８に螺合させる。すると、支柱部５は、土台部３の長手方向の略中央から上方に向かってまっすぐ立てられる。尚、タップ３６と、固定ツマミ３７と、固定孔５３とを、固定部と呼ぶ。この固定部は、本考案の固定手段に相当する。この固定部を用いると、支柱部５を土台部３から取り外しすることができ、かつ、支柱部５を土台部３上に立てた状態で固定することができる。
【００２２】
このように、固定部で、土台部３と支柱部と５を固定すると、固定部から第１接続部の土台部と、第１接続部から第２接続部の番部４と、第２接続部から固定部の支柱部５とが三角形をなし、支柱部５は頑強に固定される。
【００２３】
次に、手摺部２の延設部２１を支柱部５に挿入し、何れかの可変孔５０に可変ツマミ５９の軸部５９ａを通し、タップ６０のネジ孔６１に螺入する。すると手摺部２は、バネ６の弾性力により上方に向かって付勢された状態で支柱部５に固定される。尚、可変孔５０は、１０ｃｍごとに設けられており、このストレッチ器具１全体では、図４に示すように、地面からの高さが１０００ｍｍ、１１００ｍｍ、１２００ｍｍ、１３００ｍｍ、１４００ｍｍの位置に手摺部２の把持部２０を配置することができる。
【００２４】
そして、可変ツマミ５９でタップ６０を支柱部５内で固定したら、バネストッパ孔５１と、手摺部２の長孔２３にバネストッパツマミ２４を挿入し、長孔２３がバネストッパツマミ２４の軸部２４ａに挿入された状態で移動可能な範囲で、手摺部２を摺動可能な状態にする。すると、手摺部２は、必要以上に上方に弾性力によって移動しないので、手摺部２にぶら下がった人を必要以上に持ち上げることはない。
【００２５】
一方、このストレッチ器具１は、図３に示すように、固定部によって土台部３に固定された支柱部５を土台部３からはずせば、第２接続部を介して支柱部５を番部４に対して折りたたみ、さらに第１接続部を介して番部４を土台部に対して折りたためば、平面状にコンパクトな状態になる。
【００２６】
以上説明したストレッチ器具１を用いると以下のような効果がある。
このストレッチ器具１では、臀部をついて座った状態で手摺部２を掴めば、バネ６が人を上に引っ張り背筋を伸ばしてくれる。そのため、このストレッチ器具１を用いれば、腕への負担が小さくて済むので、女性やお年寄りでも手軽に気持ちよく背筋伸ばしをすることができる。
【００２７】
また、このストレッチ器具１は、使用時は支柱部５が倒れないよう頑強に支持することができ、非使用時はコンパクトに折りたたむことができる。
さらに、このストレッチ器具１は、バネ６の取り付け位置を変えることで、人の座高によって手摺部２を適正な位置に取り付けることができる。
【００２８】
尚、本考案の実施の形態は、上記実施形態に何ら限定されるものではなく、本考案の技術的範囲に属する限り種々の形態を採り得ることはいうまでもない。
例えば、本実施形態では、バネ６を手摺部２の延設部２１の下端に設けたが、図５に示すように、手摺部２を把持部２０と延設部２１とに分割してその間にバネ６ａを設け、把持部２０を上方に向かって付勢するよう構成してもよい。
【００２９】
ところで、本考案の第１接続部を説明する記述のうち、「コの字を形成する土台部の３つの各辺部のうち平行な各辺部」とは、延設部３１に相当する。
また、本実施形態の可変孔５０と、タップ６０と、可変ツマミ５９とは、本考案の可変手段であり、これらの各構成は、バネ６の取り付け位置を、支柱部５の長さ方向に沿って可変する。
【図面の簡単な説明】
【００３０】
【図１】本実施形態のストレッチ器具の斜視図である。
【図２】本実施形態のストレッチ器具の分解斜視図である。
【図３】本実施形態のストレッチ器具を折り畳んだ様子を示す斜視図である。
【図４】本実施形態のストレッチ器具の側面図である。
【図５】本実施形態のストレッチ器具の変形例である。
【符号の説明】
【００３１】
１…ストレッチ器具、２…手摺部、３…土台部、４…番部、５…支柱部、６…バネ、２０…把持部、２１…延設部、２３…長孔、２４…バネストッパツマミ、２４ａ…軸部、３０…後端部、３１…延設部、３２…ストッパー、３３…軸板、３４…軸孔、３５…ネジ、３５ａ…軸部、３６…タップ、３７…固定ツマミ、３７ａ…軸部、３８…ネジ孔、３９…中栓、４０…後端部、４１…延設部、４２…軸孔、４３…ネジ孔、４４…ネジ、４４ａ…軸部、４５…中栓、５０…可変孔、５１…バネストッパ孔、５２…ナット、５３…固定孔、５４…軸板、５５…軸孔、５６…スリーブ
【図１】
0003100778.tif 000003
【図２】
0003100778.tif 000004
【図３】
0003100778.tif 000005
【図４】
0003100778.tif 000006
【図５】
0003100778.tif 000007